(57)【要約】【課題】片側駆動方式で液晶表示画面の光源を点灯させても、光源の輝度傾斜を防止して表示画面の輝度を全面的に均一にするバックライト装置を提供すること。【解決手段】本発明により提供されるバックライト装置２０は、複数の長尺状蛍光管２２と、複数の蛍光管２２が並列に配置されるシャーシ２４と、複数の蛍光管２２とシャーシ２４との間に配置される反射部材３１とを備える。バックライト装置２０において、反射部材３１は、対向する蛍光管２２の長手方向１の一方の端部２２ａと該反射部材３１との間隔Ｌａが、該蛍光管２２の長手方向１の他方の端部２２ｂと該反射部材３１との間隔Ｌｂよりも大きくなるように配置されていることを特徴とする。【選択図】図３
2010123268.tif 000002
【特許請求の範囲】
【請求項１】
複数の長尺状蛍光管と、
前記複数の蛍光管が並列に配置されるシャーシと、
前記複数の蛍光管と前記シャーシとの間に配置される反射部材と、
を備えるバックライト装置であって、
前記反射部材は、対向する前記蛍光管の長手方向の一方の端部と該反射部材との間隔が、該蛍光管の長手方向の他方の端部と該反射部材との間隔よりも大きくなるように配置されていることを特徴とする、バックライト装置。
【請求項２】
前記並列に配置される複数の蛍光管は一方の電極に駆動電圧が印加される片側駆動方式によって発光駆動されるように構成されており、
ここで前記反射部材との間隔が大きい一方の端部が通電時に相対的に高電圧領域となる端部であり、且つ、前記反射部材との間隔が小さい他方の端部が通電時に相対的に低電圧領域となる端部となるように配置されていることを特徴とする、請求項１に記載のバックライト装置。
【請求項３】
前記反射部材は、対向する前記蛍光管の長手方向の一方の端部側から他方の端部側に向かって該蛍光管に漸近していくように配置されていることを特徴とする、請求項１または２に記載のバックライト装置。
【請求項４】
前記反射部材として、前記複数の蛍光管と前記シャーシとの間に長尺なシート状の反射部材が配置されており、
ここで前記シート状反射部材は、対向する前記蛍光管の前記一方の端部側から他方の端部側に向かって一定の傾きで傾斜して前記蛍光管に連続的に接近していくように形成されていることを特徴とする、請求項３に記載のバックライト装置。
【請求項５】
前記反射部材は、対向する前記蛍光管の前記一方の端部側から他方の端部側に向かって階段状に前記蛍光管に段階的に接近していくように形成されていることを特徴とする、請求項３に記載のバックライト装置。
【請求項６】
前記反射部材は、前記シャーシとの間に配置された介在部材によって支持されていることを特徴とする、請求項１〜５のいずれかに記載のバックライト装置。
【請求項７】
請求項１〜６のいずれかに記載のバックライト装置と、該バックライト装置により照明される液晶パネルを備えた液晶表示装置。
【発明の詳細な説明】
【技術分野】
【０００１】
本発明は、バックライト装置および該バックライト装置を備える液晶表示装置に関する。
【背景技術】
【０００２】
近年、テレビ、パソコン等の画像表示装置（ディスプレイ）として用いられている液晶表示装置の大型化が進んでいる。かかる大型化に伴い、液晶パネルの光源であるバックライト装置も大型になり、例えば直下式バックライト装置に設けられる長尺な蛍光管（例えば冷陰極管）も液晶パネルの大型化に伴ってより長い形状のものが使用されるようになっている。
【０００３】
ところで、このような直下式バックライト装置に設けられる長尺な蛍光管では長手方向の両端部が電極となっており、かかる蛍光管を点灯させる場合には、一般的には、片側駆動方式（片側高電圧駆動方式）と両側駆動方式（両側高電圧駆動方式）の二つの駆動方式が採用されている。片側駆動方式とは、上記蛍光管の一方の電極に駆動電圧を印加（駆動パルスを入力）し、他端における電極を接地して点灯させる方式である。また、両側駆動方式とは、蛍光管の両端の電極部から駆動パルスを互いに逆位相で印加して点灯させる方式である。管が長いまたは管径が小さい蛍光管の場合には、蛍光管のインピーダンスが高くなるために該蛍光管の一端部（電極部）から駆動パルスを入力して駆動すると、該一端部の周辺領域は発光輝度が高くなる（明るくなる）。一方、接地側の他端部の周辺領域は、上記一端部の周辺領域に比べて相対的に発光輝度が低く（暗く）なり、輝度傾斜が発生する。このような蛍光管の長手方向における輝度傾斜は、表示画面内の輝度むらの原因となり得るため好ましくない。
【０００４】
上記のような蛍光管の発光輝度を制御したり輝度むらを防止する技術は、種々提案されている。例えば特許文献１では、蛍光管の長手方向に沿って配置され該蛍光管を囲むように湾曲された略半円筒状の反射板を備えることによって光の指向性を改善する技術が提案されている。
【０００５】
しかしながら、特許文献１に記載の技術では、蛍光管の長手方向の輝度傾斜に伴う表示画面の輝度むらを防ぐことはできない。
【特許文献１】特開２０００−２１４５２８号公報
【発明の開示】
【発明が解決しようとする課題】
【０００６】
本発明は上記従来の問題点に鑑みてなされたものであり、その主な目的は、バックライト装置の大型化に伴って顕在化してきたバックライト光源の輝度傾斜を防止して比較的大型の表示画面であっても該表示画面の輝度を全面的にほぼ均一にすることができるバックライト装置を提供することである。また、他の目的は、そのようなバックライト装置を備えた液晶表示装置を提供することである。
【課題を解決するための手段】
【０００７】
上記目的を実現するべく、本発明によって提供されるバックライト装置は、複数の長尺状蛍光管と、上記複数の蛍光管が並列に配置されるシャーシ（典型的には、各蛍光管は給電される側の端部を長手方向における同じ側に揃うように配置した状態で並列している。）と、上記複数の蛍光管と上記シャーシとの間に配置される反射部材とを備える。本発明に係るバックライト装置では、上記反射部材は、対向する上記蛍光管の長手方向の一方の端部と該反射部材との間隔が、該蛍光管の長手方向の他方の端部と該反射部材との間隔よりも大きくなるように配置されていることを特徴とする。
一般的な長尺状の蛍光管はそのどちらか一方の端部または両端部から給電（通電）され、典型的には給電された側の端部領域から遠ざかるにしたがって発光輝度が低下する傾向がある。本発明に係るバックライト装置では、上述のとおり、蛍光管および該蛍光管と対向配置された反射部材の間隔（すなわち、対向する蛍光管と反射部材との間に形成された隙間の距離）が、上記蛍光管の長手方向の一端部と他端部とで異なっており、該一端部では他端部よりも大きくなっている。具体的には、本発明に係るバックライト装置では、蛍光管の両端部のうち発光輝度が相対的に高い方の端部を上記一端部として、高輝度側の端部と反射部材との間隔が大きくなるように該反射部材を配置することができる。また、上記蛍光管の両端部のうち照明輝度が相対的に低い側の端部を上記他端部として、低輝度側の端部と反射部材との間隔が小さくなるように該反射部材を配置することができる。このような配置にすることにより、反射部材は、上記間隔が小さい他端部から発する光を上記間隔が大きい一端部からの光よりも高い反射効率で反射することができる。このことにより、各蛍光管の長手方向の両端部の輝度が異なっていても、（かかるバックライト装置が照明する対象の）液晶表示画面（液晶パネル）のほぼ全面にわたって照度分布をほぼ一様にすることができる。
したがって、本発明に係るバックライト装置によると、比較的大型の液晶パネルであっても、該液晶パネルの輝度むらの防止および輝度の均一化を特別な部材や複雑な構成をとることなく容易に実現することができる。
【０００８】
ここで開示されるバックライト装置の好ましい一態様では、上記並列に配置される複数の蛍光管は一方の電極に駆動電圧が印加される片側駆動方式によって発光駆動されるように構成されている。ここで上記反射部材との間隔が大きい一方の端部が通電時に相対的に高電圧領域となる端部であり、且つ、上記反射部材との間隔が小さい他方の端部が通電時に相対的に低電圧領域となる端部となるように配置されていることを特徴とする。
蛍光管が片側駆動方式によって通電される場合には、低電圧領域となる接地側の端部の発光輝度は、高電圧領域となる通電側の端部の発光輝度よりも低下する。ここで開示される構成のバックライト装置では、反射部材と蛍光管の高電圧領域となる端部との間隔が低電圧領域となる端部との間隔よりも相対的に大きく（すなわち低電圧領域となる端部との間隔が高電圧領域となる端部との間隔よりも相対的に小さく）なるように反射部材が配置されている。このことにより、蛍光管の長手方向の上記高電圧が印加される側（高輝度）の端部から上記低電圧側（低輝度）の端部への上記輝度傾斜が解消される。したがって、ここで開示されるバックライト装置の構成は、片側駆動方式の蛍光管を備えたバックライト装置に好ましく適用することができる。
【０００９】
ここで開示されるバックライト装置のさらに好ましい一態様では、上記反射部材は、対向する上記蛍光管の長手方向の一方の端部側から他方の端部側に向かって該蛍光管に漸近していくように配置されていることを特徴とする。かかる構成によると、特に大型化したバックライト装置に装備されるような長いサイズの蛍光管の上記輝度傾斜を簡単な構成により容易に防止することができる。
【００１０】
ここで開示されるバックライト装置のさらに好ましい一態様では、上記反射部材として、上記複数の蛍光管と上記シャーシとの間に長尺なシート状の反射部材が配置されている。ここで上記シート状反射部材は、対向する上記蛍光管の上記一方の端部側から他方の端部側に向かって一定の傾きで傾斜して上記蛍光管に連続的に接近していくように形成されていることを特徴とする。
かかる構成のバックライト装置では、（典型的には１枚の）シート状の反射部材が複数の蛍光管全体と対向するように配置されており、上記複数の蛍光管の長手方向の一方の端部側から他方の端部側に向かって該複数の蛍光管に漸近することを容易に実現することができる。典型的な一態様では、上記複数の蛍光管は、反射部材と接近している側の端部（上記他端部）における発光輝度がもう一方の端部（上記一端部）に比べて低くなるように設けられている。
あるいはまた、上記反射部材は、対向する上記蛍光管の上記一方の端部側から他方の端部側に向かって階段状に上記蛍光管に段階的に接近していくように形成されていることを特徴とする。
かかる構成のバックライト装置では、上記反射部材が対向する蛍光管の上記一方の端部から他方の端部に向けて階段状にすなわち段階的に蛍光管に接近するように構成されている。このような構成によっても、上記一端部から他端部に向けて漸次低下していく蛍光管の輝度傾斜に対応させることができる。したがって、上記複数の蛍光管の輝度傾斜が解消されて、液晶パネルの輝度の均一化が実現できる。
【００１１】
ここで開示されるバックライト装置のさらに好ましい一態様では、上記反射部材は、上記シャーシとの間に配置された介在部材（支持部材）によって支持されていることを特徴とする。
かかる構成のバックライト装置では、介在部材（支持部材）により反射部材が支持されるので、該反射部材は上記シャーシの所定位置に安定して配置される。また、介在部材における反射部材の配置面を反射部材の形状に対応させて成形し、該配置面上に上記反射部材を配置することにより、上記反射部材が上記シャーシと上記蛍光管との間に配置された後も、上記反射部材の形状を長期にわたり維持することができる。
【００１２】
本発明は、他の側面として、ここで開示されるバックライト装置と、該バックライト装置により照明される液晶パネルを備えた液晶表示装置を提供する。
かかる液晶表示装置は、上記のようなバックライト装置を備えているので、液晶パネルの全面における輝度の均一化が実現される。
【発明を実施するための最良の形態】
【００１３】
以下、図面を参照しながら、本発明の好適ないくつかの実施形態を説明する。なお、本明細書において特に言及している事項（例えば、バックライト装置の構成）以外の事柄であって本発明の実施に必要な事柄（例えば、液晶パネルの構成や構築方法、または片側駆動方式に係る電気回路等）は、当該分野における従来技術に基づく当業者の設計事項として把握され得る。本発明は、本明細書に開示されている内容と当該分野における技術常識とに基づいて実施することができる。
【００１４】
以下、図１〜図３を参照しながら、本発明の好ましい一実施形態（例１）に係るバックライト装置２０、および該バックライト装置２０を備えた透過型液晶表示装置１００について説明する。図１は、本実施形態（例１）に係るバックライト装置２０を備えた液晶表示装置１００の構成を模式的に示す分解斜視図である。図２は、本実施形態に係るバックライト装置２０を備えた液晶表示装置１００の構成を模式的に示す断面図である。図３は、本実施形態に係るバックライト装置２０において蛍光管２２とシャーシ２４との間に配置される反射部材３１の位置関係を示す模式図である。
なお、以下の図面において、同じ作用を奏する部材、部位には同じ符号を付し、重複する説明は省略または簡略化することがある。また、各図における寸法関係（長さ、幅、厚さ等）は、必ずしも実際の寸法関係を正確に反映するものではない。また、以下の説明において、「前方」および「表側」とは液晶表示装置１００における視聴者に面する側（すなわち液晶パネル側）をいい、「後方」または「裏側」とは液晶表示装置１００における視聴者に面しない側（すなわちバックライト側）をいうこととする。
【００１５】
図１および図２を参照しつつ、液晶表示装置１００の構成について説明する。図１に示されるように、液晶表示装置１００は、液晶パネル１０と、該液晶パネル１０の裏側（図１における下側）に配置された外部光源であるバックライト装置２０とを備える。液晶パネル１０およびバックライト装置２０は、ベゼル４０等により組み付けられることで一体的に保持されている。
【００１６】
まず、液晶パネル１０について説明する。
図１および図２に示されるように、液晶パネル１０は、概して、全体として矩形の形状を有しており、一対の透光性基板（ガラス基板）１１，１２と、その間に封入された液晶層１３とから構成されるサンドイッチ構造を有している。かかる基板１１，１２には、製造工程でそれぞれマザーガラスと称される大型の母材から切り出されたものを使用している。上記一対の基板１１，１２のうち、表側がカラーフィルタ基板（ＣＦ基板）１１であり、裏側がアレイ基板１２である。なお、図示しないが、アレイ基板１２の内面側（液晶層１３と隣接する側）には、画像を表示させるための最小単位である画素（詳細にはサブ画素）の配列が形成されており、各画素（サブ画素）を駆動するための複数のソース配線と複数のゲート配線とが格子状に形成されている。また、両配線は画像信号等を供給可能な外部回路（ドライバーＩＣ）１４に接続されており、両配線に囲まれた各格子領域には、スイッチング素子（例えば薄膜トランジスタ（ＴＦＴ））および画素電極が設けられている。他方、ＣＦ基板１１には、Ｒ、Ｇ、Ｂの三色が並ぶカラーフィルタと、該各色のフィルタを区画するブラックマトリックスと、該ブラックマトリックスおよびカラーフィルタの表面に一様に形成された共通電極とが設けられている。なお、かかる画素の形成、電極の配線等は、従来の液晶パネルを製造する場合と同様でよく、本発明を特徴付けるものではないため、これ以上の詳細な説明は省略する。
【００１７】
次に、バックライト装置２０について説明する。
図１および図２に示されるように、バックライト装置２０は、視聴方向の裏側から光を照射して、液晶パネル１０を照明するための装置である。かかるバックライト装置２０は、大まかにいって、その光源である複数の長尺状の蛍光管（例えば冷陰極管）２２と、各蛍光管２２から後方に発せられた光を前方（液晶パネル１０側）に向けて照射（反射）するための反射部材３１と、該蛍光管２２と反射部材３１とを配置（収納）するシャーシ２４とから構成されている。シャーシ２４は、バックライトシャーシまたはバックライトアングルとも呼ばれており、その表側（図１における上方）に向けて開口した（典型的には平面視長方形）の箱形形状を有している。
【００１８】
シャーシ２４の開口部には、複数のシート状の光学部材２５が積層されて該開口部を覆うように配置されている。光学部材２５の構成としては、例えば、裏側から表側に向けて順に、拡散板、拡散シート、レンズシート、および輝度上昇シート等から構成されているがこの組合せおよび順序に限定されない。さらに、光学部材２５をシャーシ２４に（典型的には挟むようにして）保持するために、シャーシ２４には略枠状のフレーム２６が設けられている。
また、シャーシ２４の裏側には、インバータ回路を搭載するための図示しないインバータ回路基板と、各蛍光管２２に電力を供給する昇圧回路としての図示しないインバータトランスが設けられているが本発明を特徴付けるものではないため説明は省略する。
【００１９】
次に、本実施形態に係る蛍光管２２について図面を参照しつつ説明する。
バックライト装置２０を構成する複数の蛍光管２２は、その長手方向（軸方向）１が互いに平行となっている（すなわち並列している）とともに、長手方向１がシャーシ２４の長手（長辺）方向に沿うようにしてシャーシ２４内に配置されて（収容されて）いる。蛍光管２２はそれぞれその両端部に電極部２２ａ，２２ｂを有している。一方の電極部２２ａには図示しない給電用のリード線を介して上記インバータトランスが接続されており、他方の電極部２２ｂには図示しない接地用のリード線が接続される。また、各蛍光管２２の給電される側の電極部２２ａは全て、長手方向１の両側のうちどちらか一方の同じ側に配置されている。このような構成により、蛍光管２２は片側駆動方式で通電（駆動電圧が印加）されることにより点灯する。かかる蛍光管２２が点灯する仕組みとしては、例えば蛍光管２２が冷陰極管の場合には、上記シャーシ２４の裏側に配置されたインバータ回路基板のインバータトランスから該一方の電極部２２ａに高電圧交流電圧が供給される。これにより蛍光管２２内に電子が供給され、充填されている水銀蒸気を励起し、紫外線を放出させる。そして、この紫外線によって蛍光管２２内（典型的には管内壁面）に設けられた蛍光体が発光し、結果、該蛍光管２２は白色光を発し、該白色光を液晶パネル１０に供給する。なお、図示しないが、典型的には上記光学部材２５における拡散板の裏側には蛍光管２２を保持するための複数のランプホルダ（蛍光管保持部材）が設けられており、上記蛍光管２２はかかるランプホルダにより所定位置に保持（固定）される。
【００２０】
次に、図３を参照しつつ本実施形態に係る反射部材３１について説明する。
図３に示されるように、本実施形態に係る反射部材３１は、例えば発泡ＰＥＴ（ポリエチレンテレフタレート樹脂）材料等から形成されたシート状の部材であり、複数の蛍光管２２と対向するようにして該蛍光管２２とシャーシ２４との間に配置されている。そして、かかるシート状の反射部材３１は、蛍光管２２の一方の端部（電極部）２２ａ側から他方の端部（電極部）２２ｂ側に向けて漸近するように斜めに（傾斜して）配置されている。ここで、蛍光管２２が、その一方の電極部２２ａに給電され、他方の電極部２２ｂが接地される場合には、反射部材３１と対向する蛍光管２２との間隔Ｌのうち、上記一方の電極部２２ａにおける間隔Ｌａは、上記他方の電極部２２ｂにおける間隔Ｌｂよりも大きく（Ｌａ＞Ｌｂ）なっている。すなわち、かかる反射部材３１は、対向する蛍光管２２との間隔がＬａからＬｂと変化するような一定の傾きをもって上記電極部２２ａ側から電極部２２ｂ側に向けて連続的に蛍光管２２に接近している。
【００２１】
反射部材（反射シート）３１が上述のように配置されることにより、当該反射部材３１は、接地側で低電圧領域となり発光輝度が相対的に低い端部（電極部）２２ｂ側からの光を、上記給電側で高電圧領域となり高輝度となる端部（電極部）２２ａ側からの光よりも高い反射効率で反射することができる。このことにより、蛍光管２２の長手方向１の両端部２２ａ，２２ｂの発光輝度が異なって輝度傾斜が生じていても、液晶パネル１０の輝度むらは解消されて輝度の均一化が可能となる。
【００２２】
次に、図４〜６を参照しつつ他の実施形態（例２〜例６）について説明する。図４は、他の実施形態（例２）に係る反射部材３２の構成を示す模式的な断面図である。図５Ａは、他の実施形態（例３）に係る反射部材３１および介在部材（支持部材）５１の構成を示す模式的な断面図である。図５Ｂは、他の実施形態（例４）に係る反射部材３２および介在部材（支持部材）５２の構成を示す模式的な断面図である。図５Ｃは、他の実施形態（例５）に係る反射部材３１および介在部材（支持部材）５３の構成を示す模式的な断面図である。図６Ａは、他の実施形態（例６）に係る反射部材３３および介在部材（支持部材）５４の構成を模式的に示す蛍光管２２の長手方向１に沿う断面図である。図６Ｂは、図６ＡのＶＩ−ＶＩ線断面図であって、他の実施形態（例６）に係る反射部材３３および介在部材（支持部材）５４の構成を模式的に示す蛍光管の長手方向１と垂直な方向に沿う断面図である。
【００２３】
図４を参照しつつ例２の実施形態について説明する。この実施形態に係るバックライト装置は、上述した例１に係るバックライト装置２０とは反射部材の形状が異なる一例である。すなわち、本実施形態では、図３に示される連続的に傾斜したシート状の反射部材３１に換えて、図４に示されるように、上記高輝度の一端部２２ａ側から上記低輝度の端部２２ｂ側に向けて段階的に接近する階段形状の反射部材３２が用いられる。かかる形状は、シート状の反射部材を階段状に折り曲げることにより容易に成形できる。このような形状の反射部材３２を用いることによっても、上記蛍光管２２の両端部２２ａ，２２ｂにおける輝度傾斜を効果的に解消することができる。
【００２４】
なお、特に限定することを意図したものではないが、反射部材３１，３２の取付け方としては、例えば、かかる反射部材３１，３２の（上記蛍光管２２の長手方向１における）両端部をシャーシ２４の開口端面部を覆うようにひっかけ、次いでフレーム２６で固定することが一例として挙げられる。このような態様の取り付けにより、上記蛍光管２２とシャーシ２４との間に上述のような配置関係で反射部材３１，３２を容易に取り付けることができる。
【００２５】
あるいは、上記のような取付けにより反射部材３１，３２が長手方向１の中央部付近で弛む虞がある場合には、図５Ａ，図５Ｂおよび図５Ｃに示されるように、反射部材３１，３２とシャーシ２４との間に、反射部材３１，３２を支持する介在部材５１，５２，５３を配置してもよい（例３〜５）。
すなわち、例３に係る実施形態では、図５Ａに示されるように、上記反射部材３１が上記蛍光管２２とシャーシ２４との間に配置されるときの傾斜具合（傾斜角度または傾き）に対応する傾斜面５１ａを備えた介在部材５１を用いる。この介在部材５１を該傾斜面５１ａがシャーシ２４の開口側を向くようにシャーシ２４内に配置し、そして上記傾斜面５１ａ上に上記反射部材３１を配置する。
【００２６】
また、例４に係る実施形態では、図５Ｂに示されるように、上記反射部材３２の階段形状に対応する段差面５２ａを備えた介在部材５２を用いる。介在部材５２についても、介在部材５１と同様にして、上記段差面５２ａがシャーシ２４の開口側を向くようにシャーシ２４内に配置し、該段差面５２ａ上に反射部材３２を配置する。
例３および例４のように、介在部材５１または５２上に反射部材３１または３２を配置することにより、反射部材３１または３２はその全面が傾斜面５１ａまたは段差面５２ａに接触した状態で支持される。このことにより、上記のような反射部材３１，３２の弛みは効果的に防止されて、好ましい傾斜具合（形状）を長期にわたり維持できる。かかる介在部材５１，５２は、例えばランプホルダと同質の合成樹脂材料等の絶縁性材料を所定形状に成形することにより得られる。また、図５Ａおよび図５Ｂでは、介在部材５１，５２を中実構造として示したが、中空構造であってもよい。所望の形状を保持し得る強度が得られる限りにおいて、その構造は特に限定されない。
【００２７】
さらに、例５に係る実施形態では、図５Ｃに示されるように、高さの異なる複数本の支柱部材５３ａからなる介在部材５３を用いる。この介在部材５３は、反射部材３１の上記傾斜角度（または階段形状）に対応するように該支柱部材５３ａの高さを漸次変化させた状態で各支柱部材５３ａを所定間隔で並べた構成である。反射部材３１，３２は、各支柱部材５３ａの頂面部上に配置される。隣り合う支柱部材５３ａの間隔は、該支柱部材５３ａ上に配置された反射部材３１，３２が弛まない程度に狭く設定することが好ましい。なお、介在部材５３は、上記傾斜面５１ａや段差面５２ａのような面部材であって反射部材３１，３２とほぼ全面で接触し得る面部材を支柱部材５３ａの頂面部上に設けた構成であってもよい。
【００２８】
次に、図６Ａおよび図６Ｂを参照しつつ、さらに別の実施形態（例６）について説明する。上述の例１〜例５に係る反射部材３１，３２は、複数の蛍光管２２全体に対して対向する構成である一方、本実施形態（例６）に係る反射部材３３は、上記蛍光管２２の１本１本に対して対向する構成である。すなわち、本実施形態に係る反射部材３３は、１本の蛍光管２２に対向して給電側の電極部２２ａ側から接地側の電極部２２ｂ側に向けて接近する部材の集合体（部材群）のような形状を有する。このような集合体形状の反射部材３３は、長手方向１の各端部において給電側の電極部２２ａと接地側の電極部２２ｂとが交互に配置されるようにして平行に並んだ構成の蛍光管２２に対して、好ましく適用することができる。かかる構成の蛍光管２２に対して反射部材３３を適用する場合には、図６Ａおよび図６Ｂに示されるように、反射部材３３は、蛍光管２２の長手方向１の一端から他端に向けて蛍光管２２に接近するように傾斜する小部材と、該一端から他端に向けて蛍光管２２から遠ざかるように傾斜する小部材とが交互に配置されて構成される集合体のような全体形状を有する。この反射部材３３は、複数の上記小部材を貼り合わせて上記のような全体形状に成形することにより得られる。また、このような形状の反射部材３３は、当該形状に一体成形された介在部材５４上にシート状の反射部材３３を配置することによっても得られる。
【００２９】
以上、本発明を好適な実施形態により説明してきたが、こうした記述は限定事項ではなく、勿論、種々の改変が可能である。
【図面の簡単な説明】
【００３０】
【図１】本実施形態（例１）に係るバックライト装置を備えた液晶表示装置の構成を模式的に示す分解斜視図である。
【図２】本実施形態に係るバックライト装置を備えた液晶表示装置の構成を模式的に示す断面図である。
【図３】本実施形態に係るバックライト装置において蛍光管とシャーシとの間に配置される反射部材の位置関係を示す模式図である。
【図４】他の実施形態（例２）に係る反射部材の構成を示す模式的な断面図である。
【図５Ａ】他の実施形態（例３）に係る反射部材および介在部材の構成を示す模式的な断面図である。
【図５Ｂ】他の実施形態（例４）に係る反射部材および介在部材の構成を示す模式的な断面図である。
【図５Ｃ】他の実施形態（例５）に係る反射部材および介在部材の構成を示す模式的な断面図である。
【図６Ａ】他の実施形態（例６）に係る反射部材および介在部材の構成を模式的に示す蛍光管の長手方向に沿う断面図である。
【図６Ｂ】図６ＡのＶＩ−ＶＩ線断面図である。
【符号の説明】
【００３１】
１０    液晶パネル
１１    カラーフィルタ基板
１２    アレイ基板
１３    液晶層
１４    外部回路
２０    バックライト装置
２２    蛍光管（群）
２２ａ  一端部（高電圧領域側）
２２ｂ  他端部（低電圧領域側）
２４    シャーシ
２５    光学部材
２６    フレーム
３１，３２，３３  反射部材
４０    ベゼル
５１，５２，５３，５４  介在部材（支持部材）
５１ａ  傾斜面
５２ａ  段差面
５３ａ  支柱部材
１００    液晶表示装置
【図１】
2010123268.tif 000003
【図２】
2010123268.tif 000004
【図３】
2010123268.tif 000005
【図４】
2010123268.tif 000006
【図５Ａ】
2010123268.tif 000007
【図５Ｂ】
2010123268.tif 000008
【図５Ｃ】
2010123268.tif 000009
【図６Ａ】
2010123268.tif 000010
【図６Ｂ】
2010123268.tif 000011